(57)【要約】【課題】着用者の股間部に対するフィット性及び液漏れ防止性に優れる吸収性物品を提供すること。【解決手段】防漏カフ５の起立部５１は、基端部５０から横方向Ｙの内側へ延び、縦方向Ｘに伸縮性を有する内側延出部５２を含んで構成されている。前方部Ｆ及び後方部Ｒそれぞれに、内側延出部５２が表面シート２に固定された起立阻害部５５が形成されている。着用時において、防漏カフ５における縦方向Ｘの両端部の起立阻害部５５，５５に挟まれた起立部５１が、内側延出部５２の縁部５２ａを自由端として、該自由端を着用者の肌側に向けて起立しその起立状態において、該自由端が基端部５０よりも横方向Ｙの内方に位置している。吸収体４は、後方部Ｒに後方スリット領域ＲＳを有し、後方部Ｒの起立阻害部５５は、該領域ＲＳの縦方向後端よりも縦方向後方に位置する。【選択図】図１
2020044047.tif 000002
【特許請求の範囲】
【請求項１】
着用者の前後方向に対応する縦方向及びこれに直交する横方向を有するとともに、着用時に着用者の排泄部と対向する排泄部対向部を含む中間部と、該中間部から縦方向前方に延在する前方部と、該中間部から縦方向後方に延在する後方部とを有し、且つ
吸収性本体と、該吸収性本体の縦方向に沿う両側部に配された一対の防漏カフとを具備し、該吸収性本体が、吸水性材料を含む吸収体と、該吸収体の肌対向面側に配された表面シートと、該吸収体の非肌対向面側に配された裏面シートとを具備する吸収性物品であって、
一対の前記防漏カフは、それぞれ、防漏カフ用シートを含んで構成され、該防漏カフ用シートが他の部材に固定された基端部と、該防漏カフ用シートが着用者側に起立する起立部とを有しており、
前記起立部は、前記基端部から横方向内側へ延び、縦方向に伸縮性を有する内側延出部を含んで構成されており、
前記前方部及び前記後方部それぞれに、前記内側延出部が前記表面シートに固定された起立阻害部が形成されており、
着用時において、前記防漏カフにおける縦方向両端部の前記起立阻害部に挟まれた前記起立部が、前記内側延出部の縁部を自由端として、該自由端を着用者の肌側に向けて起立しその起立状態において、該自由端が前記基端部よりも横方向内方に位置し、
前記吸収体は、前記後方部に、縦方向に延びる後方スリットが配された後方スリット領域を有し、
前記後方部の前記起立阻害部は、前記後方スリット領域の縦方向後端よりも縦方向後方に位置する吸収性物品。
【請求項２】
前記後方スリット領域は、前記吸収体を横方向に二分して縦方向に延びる仮想縦中心線を挟んで両側に一対配されている請求項１に記載の吸収性物品。
【請求項３】
前記吸収性本体の肌対向面に、前記表面シート及び前記吸収体が前記裏面シート側に一体的に凹陥してなる溝として、縦方向に延在する縦溝が、横方向に所定間隔を置いて一対形成されているとともに、横方向に延在する横溝が、該一対の縦溝それぞれの縦方向後端に連結されており、
前記後方部の前記起立阻害部は、前記横溝の縦方向前端に重なるか、それよりも縦方向後方に位置している請求項１又は２に記載の吸収性物品。
【請求項４】
前記吸収性本体は、前記後方部における縦方向に沿う両側部に、前記吸収体の縦方向に沿う両側縁から横方向外方に延出する部材を含んで構成される後方フラップ部を有し、該後方フラップ部の非肌対向面に、該後方フラップ部を着用者の着衣に固定する後方フラップ部固定材が配されており、
前記後方部の前記起立阻害部は、前記後方フラップ部固定材よりも縦方向後方に位置している請求項１〜３の何れか１項に記載の吸収性物品。
【請求項５】
前記吸収性本体の肌対向面に、前記表面シート及び前記吸収体が前記裏面シート側に一体的に凹陥してなる溝として、縦方向に延在する縦溝が、横方向に所定間隔を置いて一対形成されているとともに、横方向に延在する横溝が、該一対の縦溝それぞれの縦方向後端に連結されており、
前記一対の縦溝は、それぞれ平面視において、前記後方部に括れ部又は分断部を有し、
前記吸収性本体の肌対向面における前記横溝よりも縦方向後方に、複数の凹陥部が一方向に間欠配置されてなり且つ平面視において縦方向外方に向かって凸の曲線状をなす凹陥部列が形成され、該凹陥部列において隣り合う凹陥部どうしの間隔が５ｍｍ以上であり、該凹陥部列は、該横溝に比して曲率半径が大きく、
前記後方部の前記起立阻害部は、前記縦溝が有する前記括れ部又は分断部のうちで縦方向最後方に位置するものを通って横方向に延びる仮想直線と、前記凹陥部列の縦方向後端を通って横方向に延びる仮想直線との間に位置している請求項１〜４の何れか１項に記載の吸収性物品。
【請求項６】
前記吸収性本体の非肌対向面に、該吸収性本体を着用者の着衣に固定する本体固定材が、縦方向に間欠配置されている請求項５に記載の吸収性物品。
【請求項７】
前記内側延出部の縁部領域に弾性部材が配されており、前記後方部の前記起立阻害部は、平面視において該弾性部材に対して斜めに交差する複数の筋状固定部を含んで構成されている請求項１〜６の何れか１項に記載の吸収性物品。
【請求項８】
前記防漏カフにおける縦方向両端部の前記起立阻害部に挟まれた前記起立部の前記自由端の縦方向長さが、該防漏カフの非起立部の縦方向長さに比して短い請求項１〜７の何れか１項に記載の吸収性物品。
【請求項９】
前記中間部に、前記後方部に比して前記吸水性材料の坪量が高い領域が存在する請求項１〜８の何れか１項に記載の吸収性物品。
【請求項１０】
前記吸収体は、前記中間部に、縦方向に延びる中央スリットが配された中央スリット領域を有し、該中央スリット領域と前記後方スリット領域とが縦方向に離間している請求項１〜９の何れか１項に記載の吸収性物品。
【請求項１１】
前記中央スリット領域と前記後方スリット領域との間に、前記吸収性本体を折り曲げる際に利用される折曲線が横方向に延在している請求項１０に記載の吸収性物品。
【発明の詳細な説明】
【技術分野】
【０００１】
本発明は、着用者の肌側に向かって起立する防漏カフを備えた吸収性物品に関する。
【背景技術】
【０００２】
生理用ナプキン等の吸収性物品は、着用者の股間部に接触しながら着用されるものであるため、着用者に違和感や不快感を生じさせないように、着用者の身体形状に沿うように変形し、着用者の肌にフィット性良く密着することが望まれている。また、吸収性物品には、着用者の前後方向に沿う縦方向の長さが比較的長く設計された夜間用の吸収性物品が存在する。このような夜間用の吸収性物品は通常、経血等の排泄物の漏れを防止するため、着用者の背中寄りに配される後方部にフラップ部を有する。
【０００３】
特許文献１には、防漏カフ、立体ギャザーなどとも呼ばれる横漏れ防止部材が設けられた夜間用の生理用ナプキンが記載されている。特許文献１記載の生理用ナプキンにおいて、防漏カフは、吸収性本体の縦方向に沿う両側部に一対配されており、該吸収性本体の全長にわたって延在するサイドシートと、該サイドシートの横方向内側縁部に伸長状態で固定された弾性部材とを具備する。また、サイドシートの縦方向前後端部それぞれの横方向内側縁部が表面シートに固定されて固定部が形成されており、ナプキン着用時には、サイドシートにおけるそれら固定部に挟まれた部分が、前記弾性部材の収縮により、前記横方向内側縁部を自由端として、該自由端を着用者の肌側に向けて起立する。なお、前記縦方向は、着用者の前後方向に対応する方向であり、前記横方向は、該縦方向と直交する方向である。特許文献２にも、前記と同様の構成の防漏カフを具備する生理用ナプキンが記載されている。
【０００４】
また、吸収性物品を着用者の肌にフィット性良く密着させることなどを目的として、吸収性物品の構成部材の中でも特に剛性の高い吸収体に、スリットや開口を形成する技術が知られている。例えば特許文献３には、後方部にフラップ部を有する生理用ナプキンにおいて、吸収体における、該後方部に位置する部分と該後方部よりも縦方向前方に位置する排泄部対向部に位置する部分とに、縦方向に延びるスリットが複数配されたスリット領域を設けることが記載されている。
【先行技術文献】
【特許文献】
【０００５】
【特許文献１】特開２０１３−８５８２９号公報
【特許文献２】特開２０１６−６７９５７号公報
【特許文献３】特開２０１８−５０９５１号公報
【発明の概要】
【発明が解決しようとする課題】
【０００６】
生理用ナプキンを就寝時に使用する際の特有の問題として、着用者の就寝時に経血等の体液が着用者の身体を伝ってナプキンの後方部に移行し、該後方部の両側部から外部に漏れ出すという問題がある。この問題の解決には、１）ナプキン全体を着用者の股間部に追従性よく密着させてフィット性を高めること、及び２）ナプキンの前方部から後方部にわたって防漏カフを設置することが有効である。
【０００７】
しかしながら、夜間用の生理用ナプキンは、着用者の前後方向に対応する縦方向の長さが長いため、複雑な表面形状を有する着用者の股間部にナプキン全体を追従性よく密着させてフィット性を高めることは、縦方向の長さが比較的短い昼間用の生理用ナプキンに比べて技術的にハードルが高く、前記１）に対応した技術は未だ提供されていないのが実情である。また、前記２）に関し、従来技術に基づいて夜間用の生理用ナプキンに防漏カフを設置しても、特に後方部において防漏カフが十分に起立せず、着用者の臀部に対するフィット性、液漏れ防止性の点で改善の余地があった。
【０００８】
本発明の課題は、着用者の股間部に対するフィット性及び液漏れ防止性に優れる吸収性物品を提供することに関する。
【課題を解決するための手段】
【０００９】
本発明は、着用者の前後方向に対応する縦方向及びこれに直交する横方向を有するとともに、着用時に着用者の排泄部と対向する排泄部対向部を含む中間部と、該中間部から縦方向前方に延在する前方部と、該中間部から縦方向後方に延在する後方部とを有し、且つ吸収性本体と、該吸収性本体の縦方向に沿う両側部に配された一対の防漏カフとを具備し、該吸収性本体が、吸水性材料を含む吸収体と、該吸収体の肌対向面側に配された表面シートと、該吸収体の非肌対向面側に配された裏面シートとを具備する吸収性物品であって、一対の前記防漏カフは、それぞれ、防漏カフ用シートを含んで構成され、該防漏カフ用シートが他の部材に固定された基端部と、該防漏カフ用シートが着用者側に起立する起立部とを有しており、前記起立部は、前記基端部から横方向内側へ延び、縦方向に伸縮性を有する内側延出部を含んで構成されており、前記前方部及び前記後方部それぞれに、前記内側延出部が前記表面シートに固定された起立阻害部が形成されており、着用時において、前記防漏カフにおける縦方向両端部の前記起立阻害部に挟まれた前記起立部が、前記内側延出部の縁部を自由端として、該自由端を着用者の肌側に向けて起立しその起立状態において、該自由端が前記基端部よりも横方向内方に位置し、前記吸収体は、前記後方部に、縦方向に延びる後方スリットが配された後方スリット領域を有し、前記後方部の前記起立阻害部は、前記後方スリット領域の縦方向後端よりも縦方向後方に位置する吸収性物品である。
【発明の効果】
【００１０】
本発明によれば、着用者の股間部に対するフィット性及び液漏れ防止性に優れる吸収性物品が提供される。
【図面の簡単な説明】
【００１１】
【図１】図１は、本発明の吸収性物品の一実施形態である生理用ナプキンの肌対向面側（表面シート側）を模式的に示す平面図である。
【図２】図２は、図１に示す生理用ナプキンの非肌対向面側（裏面シート側）を模式的に示す平面図である。
【図３】図３は、図１のＩ−Ｉ線断面を模式的に示す横断面図である。
【図４】図４は、図１のＩＩ−ＩＩ線断面を模式的に示す横断面図である。
【図５】図５は、図１のＩＩＩ−ＩＩＩ線断面を模式的に示す横断面図である。
【図６】図６は、図１に示す生理用ナプキンにおける吸収体の肌対向面側を模式的に示す平面図である。
【図７】図７は、図１に示す生理用ナプキンの後方部の肌対向面側を拡大して模式的に示す平面図である。
【図８】図８は、本発明の吸収性物品の他の実施形態の図７相当図である。
【発明を実施するための形態】
【００１２】
以下、本発明の吸収性物品をその好ましい実施形態に基づき図面を参照して説明する。図１〜図６には、本発明の吸収性物品の一実施形態である生理用ナプキン１が示されている。ナプキン１は、図１及び図２に示すように、着用者の前後方向に対応し、着用者の腹側から股間部を介して背側に延びる縦方向Ｘと、これに直交する横方向Ｙとを有するとともに、着用時に着用者の排泄部（膣口等）と対向する部分である排泄部対向部を含む中間部Ｍと、該中間部Ｍより縦方向Ｘの前方すなわち着用者の前側（腹側）に配される前方部Ｆと、該排中間部Ｍより縦方向Ｘの後方すなわち着用者の後側（背側）に配される後方部Ｒとを有する。中間部Ｍの前記排泄部対向部は、中間部Ｍの横方向Ｙの中央部に位置する。
【００１３】
ナプキン１は、主に就寝時に適した、夜間用の生理用ナプキンとして用いられる。夜間用の生理用ナプキンは、その着用時間が長時間にわたるため、着用中に排泄される経血等の排泄液の量も多くなり、多量の液を吸収し保持する高い吸収力及び保持力が必要とされる。これに対応するため、ナプキン１はある程度の大きさを有していることが好ましく、具体的には、縦方向Ｘの全長が、好ましくは２７ｃｍ以上、より好ましくは３０ｃｍ以上である。
【００１４】
図１に示すように、ナプキン１は、その縦方向Ｘへの折り畳みによって形成された１本の中央折り畳み線ＣＦＬを境にして、縦方向Ｘの前方の第１領域と、後方の第２領域とに区分されるところ、該第１領域は中間部Ｍと前方部Ｆとからなり、該第２領域は後方部Ｒからなる。つまり、中央折り畳み線ＣＦＬは中間部Ｍと後方部Ｒとの境界をなしている。中央折り畳み線ＣＦＬは、肌対向面を形成する表面シート２を内側にして（非肌対向面を形成する裏面シート３を外側にして）、ナプキン１を縦方向Ｘに折り畳むことによって形成されており、横方向Ｙに延びる直線状をなしている。中央折り畳み線ＣＦＬは、ナプキン１の縦方向Ｘの中央部に形成されていればよく、具体的には、ナプキン１の縦方向Ｘの中央を基準として、その基準から縦方向Ｘの前方側及び後方側それぞれにナプキン１の縦方向Ｘの全長の１０％以内の領域である。
【００１５】
また図１に示すように、ナプキン１の後方部Ｒには、後述する後方スリット領域ＲＳ（ＲＳｒ，ＲＳｌ）より縦方向Ｘの後方に、ナプキン１の折り畳みによって形成された後方折り畳み線ＲＦＬが１本形成されている。後方折り畳み線ＲＦＬも、中央折り畳み線ＣＦＬと同様に、肌対向面を形成する表面シート２を内側にしてナプキン１を縦方向Ｘに折り畳むことによって形成されており、横方向Ｙに延びる直線状をなしている。後方折り畳み線ＲＦＬは、後方スリット領域ＲＳと後方部Ｒの横溝９との間（内溝１３と横溝９との間）を横方向Ｙに延びている。後方折り畳み線ＲＦＬは通常、ナプキン１の縦方向Ｘの後端から縦方向Ｘの前方側にナプキン１の縦方向Ｘの全長の１０〜３０％離間した位置に形成される。
【００１６】
また図１に示すように、ナプキン１の前方部Ｆには、ナプキン１の折り畳みによって形成された前方折り畳み線ＦＦＬが１本形成されている。前方折り畳み線ＦＦＬも、中央折り畳み線ＣＦＬ及び後方折り畳み線ＲＦＬと同様に、肌対向面を形成する表面シート２を内側にしてナプキン１を縦方向Ｘに折り畳むことによって形成されており、横方向Ｙに延びる直線状をなしている。前方折り畳み線ＦＦＬは、後述する中央スリット領域ＭＳと前方部Ｆの横溝９との間を横方向Ｙに延びている。前方折り畳み線ＦＦＬは通常、ナプキン１の縦方向Ｘの前端から縦方向Ｘの後方側にナプキン１の縦方向Ｘの全長の１０〜３０％離間した位置に形成される。
【００１７】
このように、ナプキン１は、縦方向Ｘの前側から順に、前方折り畳み線ＦＦＬ、中央折り畳み線ＣＦＬ、後方折り畳み線ＲＦＬの合計３本の折り畳み線を有し、これらの折り畳み線は、ナプキン１が縦方向Ｘに折り畳まれて個包装される際に使用される。つまり、ナプキン１の個包装形態は、３本の折り畳み線による四つ折り形態である。
【００１８】
ナプキン１は、図１に示すように、縦方向Ｘに長い形状の吸収性本体１０と、吸収性本体１０における中間部Ｍの縦方向Ｘに沿う両側部それぞれから横方向Ｙの外方に延出する一対のウイング部１０Ｗ，１０Ｗとを有している。吸収性本体１０は、前方部Ｆから後方部Ｒにわたって延在している。吸収性本体１０の長手方向すなわちナプキン１の長手方向は、縦方向Ｘに一致し、該長手方向に直交する吸収性本体１０及びナプキン１の幅方向は、横方向Ｙに一致する。
【００１９】
本発明の吸収性物品における中間部Ｍは、ナプキン１のように吸収性物品がウイング部を有する場合には、中央折り畳み線ＣＦＬとウイング部前端部とで区分される領域であるところ、ここでいう「ウイング部前端部」とは、ナプキン１を例にとれば、一方のウイング部１０Ｗの縦方向Ｘの前方側の付け根である。つまり中間部Ｍは、一方のウイング部１０Ｗの前方側の付け根を通って横方向Ｙに延びる仮想直線を縦方向Ｘの前端とし、中央折り畳み線ＣＦＬを縦方向Ｘの後端とする、１つの連続した領域である。なお、ナプキン１においては、一対のウイング部１０Ｗ，１０Ｗは、ナプキン１を横方向Ｙに二分して縦方向Ｘに延びる縦中心線ＣＬを基準として左右対称に形成されており、一方のウイング部１０Ｗの前記前方側の付け根と他方のウイング部１０Ｗのそれとは、縦方向Ｘにおいて同位置に存する。
【００２０】
また、ウイング部を有しない吸収性物品（図示せず）における中間部Ｍは、該吸収性物品が個装形態に折り畳まれた際に生じる、該吸収性物品を横方向（幅方向、図中のＹ方向）に横断する２本の折り畳み線について、該吸収性物品の縦方向の前端から数えて第１折り畳み線と第２折り畳み線とに囲まれた領域を意味する。これを図１に即して説明すると、前方折り畳み線ＦＦＬがここでいう第１折り畳み線に相当し、中央折り畳み線ＣＦＬがここでいう第２折り畳み線に相当する。つまり、図１に示すナプキン１において、仮に、一対のウイング部１０Ｗ，１０Ｗが存在しない場合には、そのウイング部を有しないナプキン１における中間部Ｍは、前方折り畳み線ＦＦＬを縦方向Ｘの前端とし、中央折り畳み線ＣＦＬを縦方向Ｘの後端とする、１つの連続した領域である。
【００２１】
ナプキン１を構成する吸収性本体１０は、図１〜図５に示すように、吸水性材料を含む液保持性の吸収体４と、吸収体４の肌対向面側に配された表面シート２と、吸収体４の非肌対向面側に配された裏面シート３とを具備する。吸収体４は、表面シート２と裏面シート３との間に介在配置されている。図中符号２Ｓで示す、表面シート２の縦方向Ｘに沿う側縁２Ｓは、吸収性本体１０の同方向に沿う側縁でもあり、また、吸収性本体１０と前述したウイング部１０Ｗ及び後述する後方フラップ部１０Ｈそれぞれとの境界でもある（図３〜図５参照）。
【００２２】
本明細書において、「肌対向面」は、吸収性物品又はその構成部材（例えば吸収体４）における、吸収性物品の着用時に着用者の肌側に向けられる面、すなわち相対的に着用者の肌に近い側であり、「非肌対向面」は、吸収性物品又はその構成部材における、吸収性物品の着用時に肌側とは反対側（着衣側）に向けられる面、すなわち相対的に着用者の肌から遠い側である。なお、ここでいう「着用時」は、通常の適正な着用位置、すなわち当該吸収性物品の正しい着用位置が維持された状態を意味する。
【００２３】
図３〜図５に示すように、表面シート２は、吸収体４の肌対向面の全域を被覆し、裏面シート３は、吸収体４の非肌対向面の全域を被覆している。裏面シート３は、表面シート２よりも更に横方向Ｙの外方に延出し、後述するサイドシート６とともにサイドフラップ部１０Ｓを形成している。サイドフラップ部１０Ｓは、吸収体４の縦方向Ｘに沿う両側縁４Ｓ，４Ｓから横方向Ｙの外方に延出する部材（本実施形態では、表面シート２、裏面シート３及びサイドシート６）を含んで構成される部分であり、前述したウイング部１０Ｗと、後述する後方フラップ部１０Ｈとを含む。裏面シート３とサイドシート６とは、吸収体４の縦方向Ｘに沿う両側縁からの延出部において、接着剤、ヒートシール、超音波シール等の公知の接合手段によって互いに接合されている。また、表面シート２及び裏面シート３は、吸収体４の縦方向Ｘの両端からの延出部において、公知の接合手段によって互いに接合されている。表面シート２及び裏面シート３と吸収体４との間はそれぞれ接着剤によって接合されていてもよい。表面シート２、裏面シート３としては、生理用ナプキン等の吸収性物品に従来使用されている各種のものを特に制限なく用いることができる。表面シート２としては液透過性シートが好ましく、具体的には例えば、公知の各種製法により製造された単層又は多層構造の不織布、開孔フィルム等が挙げられる。裏面シート３としては液不透過性シートが好ましく、具体的には例えば、樹脂フィルム、樹脂フィルムと不織布とのラミネートシート等が挙げられ、該樹脂フィルムは透湿性でもよい。なお、裏面シート３に関し、液不透過性とは、液を全く通さない性質と、少量ではあるが液を通す性質（液難透過性）との両方を含む概念である。裏面シート３は撥水性を有していてもよい。
【００２４】
図１〜図３に示すように、吸収性本体１０の中間部Ｍにおける縦方向Ｘに沿う両側部には、一対のウイング部１０Ｗ，１０Ｗが延設されている。一対のウイング部１０Ｗ，１０Ｗは、それぞれ、サイドフラップ部１０Ｓの中間部Ｍに位置する部分の裏面シート３及びサイドシート６が周辺部よりも横方向Ｙの外方に延出して形成されており、図１及び図２に示す如き平面視において、下底（上底に比して長い辺）が吸収性本体１０側に位置する略台形形状を有している。ウイング部１０Ｗの非肌対向面には、該ウイング部１０Ｗをショーツ等の着衣に固定するウイング部固定材（図示せず）が配されている。前記ウイング部固定材は、粘着剤が塗布されて形成されており、その使用前においてはフィルム、不織布、紙等からなる剥離シートによって被覆されている。ウイング部１０Ｗは、ナプキン１の使用時において、ショーツ等の着衣のクロッチ部の非肌対向面すなわち外面側に折り返されて用いられる。
【００２５】
また、図１、図２、図４及び図５に示すように、吸収性本体１０の後方部Ｒにおける縦方向Ｘに沿う両側部には、一対の後方フラップ部１０Ｈ，１０Ｈが延設されている。一対の後方フラップ部１０Ｈ，１０Ｈは、それぞれ、サイドフラップ部１０Ｓの後方部Ｒに位置する部分の裏面シート３及びサイドシート６が周辺部よりも横方向Ｙの外方に延出して形成されている。後方フラップ部１０Ｈの非肌対向面には、該後方フラップ部１０Ｈをショーツ等の着衣に固定する後方フラップ部固定材１１が配されている。後方フラップ部１０Ｈは、これを着衣に固定する際に折り返されず、その非肌対向面が広げられた状態すなわち吸収性本体１０の側方に延ばされた状態で、その非肌対向面に形成された後方フラップ部固定材１１を介して、着衣の肌対向面すなわち内面に固定される。後方フラップ部固定材１１は、粘着剤が塗布されて形成されており、その使用前においてはフィルム、不織布、紙等からなる剥離シート（図示せず）によって被覆されている。
【００２６】
吸収性本体１０の非肌対向面には、図２に示すように、該吸収性本体１０をショーツ等の着衣に固定する複数の本体固定材１２が、縦方向Ｘに間欠配置されている。本実施形態においては、本体固定材１２は平面視長方形形状をなし、その長手方向を横方向Ｙに一致させて、縦方向Ｘに所定間隔を置いて複数配置されている。本体固定材１２は、粘着剤が塗布されて形成されており、その使用前においてはフィルム、不織布、紙等からなる剥離シート（図示せず）によって被覆されている。
【００２７】
図１及び図３〜図５に示すように、吸収性本体１０の縦方向Ｘに沿う両側部には、一対の防漏カフ５，５が配されている。一対の防漏カフ５，５は、それぞれ、防漏カフ用シートを含んで構成され、且つ該防漏カフ用シートが他の部材に固定された基端部５０と、該防漏カフ用シートが着用者側に起立する起立部５１とを有している。本実施形態においては、前述したサイドシート６が防漏カフ用シートである。
【００２８】
基端部５０は、ナプキン１の着用時に起立部５１が着用者の肌側に向かって起立する際の起立基端となる部分であり、より具体的には、防漏カフ用シート（本実施形態ではサイドシート６）の「他の部材」との固定部における、起立部５１と横方向Ｙにおいて隣接する部分であり、換言すれば、該固定部における横方向Ｙの最内方に位置する部分である。また、「他の部材」は、ナプキン１の構成部材のうちで防漏カフ用シート以外のものであり、典型的には、防漏カフ用シートの非肌対向面側に該シートと接触可能に配された部材であり、本実施形態においては、図３〜図５に示すように、表面シート２である。
【００２９】
基端部５０は、前述したとおり、防漏カフ用シートと他の部材との固定部であり、典型的には、ホットメルト等の接着剤、熱融着等の公知の接合手段によって形成されている。本実施形態においては、基端部５０は、図１に示すように、平面視において直線状をなし、防漏カフ用シート（本実施形態ではサイドシート６）の縦方向Ｘの略全長にわたって縦方向Ｘに延在し、また、図３〜図５に示すように、表面シート２の縦方向Ｘに沿う側縁２Ｓの近傍に位置している。
【００３０】
起立部５１は、防漏カフ用シートにおける他の部材との非固定部であり、図３及び図４に示すように、基端部５０から横方向Ｙの内側へ延びる内側延出部５２を含んで構成されている。本実施形態においては、起立部５１は内側延出部５２のみから構成されている。
【００３１】
起立部５１の内側延出部５２は、縦方向Ｘに伸縮性を有している。本実施形態においては、図３及び図４に示すように、起立部５１の内側延出部５２の縁部領域５２０を構成するサイドシート６（防漏カフ形成用シート）に、縦方向Ｘに伸縮性を有する弾性部材７が配されており、斯かる構成により、内側延出部５２すなわち起立部５１に縦方向Ｘの伸縮性が付与されている。更に説明すると、本実施形態においては、後述する起立阻害部５５及び端部固定部５６を含む、防漏カフ５の全体が、防漏カフ用シートであるサイドシート６が横方向Ｙに二つに折られて二層構造となった部分を含んで構成され、その二つ折りの折り目及びその近傍領域が、縁部領域５２０である。内側延出部５２の縁部領域５２０は、内側延出部５２の縦方向Ｘに沿う縁部５２ａと該縁部５２ａの近傍領域とを含む部分であり、典型的には、縁部５２ａから基端部５０に向かって１５ｍｍ以内の領域である。そして、起立部５１の内側延出部５２の縁部領域５２０における二層構造を構成するサイドシート６，６間に、弾性部材７が伸長状態で固定されており、斯かる構成により、縁部領域５２０は縦方向Ｘに伸縮性を有している。二つ折りされたサイドシート６の先端部は、基端部５０にて表面シート２に接合されている。なお、弾性部材７は、起立部５１の内側延出部５２において、必ずしも縁部領域５２０に配される必要はないが、内側延出部５２の起立性の向上等の観点から、縁部領域５２０に配されることが好ましい。
【００３２】
本実施形態においては、弾性部材７は糸状をなし、その長手方向を縦方向Ｘに一致させて、サイドシート６における起立部５１の内側延出部５２（縁部領域５２０）を構成する部分に伸長状態で固定されている。弾性部材７は糸状が好ましいが、これに変えて帯状であってもよい。また、本実施形態においては、各防漏カフ５に弾性部材７が１本（条）配されているが、各防漏カフ５における弾性部材７の数は特に制限されず、１本（条）でも複数本（条）でもよい。また、起立部５１の内側延出部５２が縦方向Ｘに伸縮性を有していることを前提として、該内側延出部５２に弾性部材が配されていなくてもよく、その場合は例えば、防漏カフ用シートであるサイドシート６における該内側延出部５２を構成する部分自体が、縦方向Ｘに伸縮性を有していればよい。
【００３３】
このように、本実施形態においては、弾性部材７は、少なくとも起立部５１（防漏カフ５における後述する縦方向Ｘの前後の起立阻害部５５，５５間）では、内側延出部５２において、防漏カフ用シートであるサイドシート６に伸長状態で固定されており、これにより、起立部５１（内側延出部５２）は縦方向Ｘに伸縮可能となっている。そして、本実施形態の防漏カフ５は、サイドシート６に対して弾性部材７を伸長状態で固定した後にその伸長状態を解放することによって作られており、斯かる作製方法に起因して、防漏カフ５の表面、より具体的には起立部５１（内側延出部５２）の表面には多数の皺が存在する。この防漏カフ５の表面の皴は、縦方向Ｘに略規則的に間欠配置されている。
【００３４】
本実施形態においては、防漏カフ用シートであるサイドシート６は、図１に示すように、吸収性本体１０の縦方向Ｘの略全長にわたって、吸収性本体１０の縦方向Ｘに沿う側部に沿って配されており、吸収性本体１０の肌対向面すなわち表面シート２の肌対向面が、サイドシート６によって被覆されている。これにより一対の防漏カフ５，５は、それぞれ、前方部Ｆから後方部Ｒにわたって縦方向Ｘに連続的に配されている。サイドシート６としては液不透過性シートが好ましく、例えば、裏面シート３として使用可能なものを用いることができる。
【００３５】
図１に示すように、前方部Ｆ及び後方部Ｒそれぞれには、起立部５１（内側延出部５２）の起立が阻害された部分である起立阻害部５５が形成されている。起立部５１は、前方部Ｆの起立阻害部５５と後方部Ｒの起立阻害部５５とに挟まれた部分である。図５には、後方部Ｒの起立阻害部５５が示されている。起立阻害部５５は、起立部５１を構成する内側延出部５２が表面シート２に固定されることで形成されている。起立阻害部５５において、内側延出部５２は、少なくとも縦方向Ｘに伸縮性を有する部分が表面シート２に固定されていることが好ましく、本実施形態においては、内側延出部５２の縁部領域５２０が表面シート２に固定されていることが好ましい。本実施形態においては、起立阻害部５５（起立阻害部５５の内側延出部５２）は、基端部５０よりも横方向Ｙの内方位置にて表面シート２に固定されている。起立阻害部５５と表面シート２とを固定する固定手段、すなわち起立阻害部５５の形成手段は特に制限されず、例えば、ホットメルト等の接着剤、熱融着等の公知の固定手段を用いることができる。図示していないが、前方部Ｆの起立阻害部５５も、後方部Ｒの起立阻害部５５と同様に構成されている。
【００３６】
このように、縦方向Ｘに伸縮性を有する起立部５１の内側延出部５２が、その縦方向Ｘの両端部それぞれにおいて表面シート２に固定されて、前方部Ｆ及び後方部Ｒそれぞれに起立阻害部５５が形成されていることで、防漏カフ５における、前方部Ｆの起立阻害部５５と後方部Ｒの起立阻害部５５とに挟まれた部分である起立部５１が、内側延出部５２（弾性部材７）の収縮力により、図３及び図４に示すように、サイドシート６（防漏カフ用シート）と表面シート２との固定部である基端部５０を起立基端とし、内側延出部５２の縁部５２ａを自由端として起立し得る。そして、ナプキン１の着用中に一対の防漏カフ５，５がこのように起立することで、ナプキン１の肌対向面に排泄された経血等の排泄液の横漏れが効果的に防止される。また、図示していないが、斯かる防漏カフ５の起立状態においては、内側延出部５２（弾性部材７）の収縮力により、ナプキン１の全体が、吸収性本体１０の縦方向Ｘの中央部が非肌対向面側（裏面シート３側）に凸となるように湾曲していわゆる舟形形状に変形するため、ナプキン１の着用者の身体形状にフィットしやすくなる。
【００３７】
防漏カフ５における起立阻害部５５よりも縦方向Ｘの外方に位置する部分は、図１に示すように、端部固定部５６にて他の部材に固定されている。本実施形態においてこの「他の部材」は、表面シート２及び裏面シート３である。本実施形態においては、端部固定部５６は、図１に示す如き平面視において波線状ないしジグザグ線状をなし、少なくとも防漏カフ５の内側延出部５２及びその近傍、より具体的には、サイドシート６（防漏カフ用シート）における基端部５０から内側延出部５２の縁部５２ａにわたる部分が他の部材に固定されて形成されている。端部固定部５６は、ホットメルト等の接着剤、熱融着等の公知の固定手段によって形成されており、接着剤の塗布部又は熱融着された部分を有しており、その形成方法に起因して、周辺部（端部固定部５６の非形成部）に比して硬く高剛性である。なお、端部固定部５６の平面視形状は、図１に示す如き線状に限定されず任意に設定可能であり、例えば、防漏カフ５における、起立阻害部５５よりも縦方向Ｘの外方で且つ基端部５０よりも横方向Ｙの内方に位置する部分の全体が、端部固定部５６であってもよい。
【００３８】
吸収体４は、図１に示すように、前記第２領域たる後方部Ｒに、縦方向Ｘに延びる後方スリットＲ１が配された後方スリット領域ＲＳを有している。本実施形態においては、吸収体４は、後方スリット領域ＲＳとして、吸収体４（ナプキン１）を横方向Ｙに二分して縦方向Ｘに延びる縦中心線ＣＬの両側に配された一対の後方スリット領域ＲＳｒ，ＲＳｌを有している。後方スリットＲ１は、吸収体４に形成された切れ目であり、後方スリットＲ１の形成位置においては吸収体４の形成材料が切断され又は形成材料が他の部位よりも相互に離れて分離されている。ナプキン１においては、後方スリットＲ１は平面視直線状をなしているが、後方スリットＲ１の平面視形状はこれに限定されず波線等でもよい。また後方スリットＲ１は、縦方向Ｘに延びていればよく、図示の如く縦中心線ＣＬに対して平行でなくてもよく、平面視において縦中心線ＣＬ（縦方向Ｘ）とのなす角度が４５度未満であればよい。後方スリットＲ１と縦方向Ｘとのなす角度は、好ましくは３０度未満、より好ましくは１０度未満、更に好ましくは０度であり、すなわち後方スリットＲ１は縦方向Ｘに平行に延びることが最も好ましい。
【００３９】
一対の後方スリット領域ＲＳｒ，ＲＳｌそれぞれにおいては、後方スリットＲ１が１本のみ配置されているか、又は後方スリットＲ１が複数分散配置されている。本実施形態においては、図１及び図６に示すように、一対の後方スリット領域ＲＳｒ，ＲＳｌそれぞれには４本の後方スリットＲ１が分散配置されている。後方スリット領域ＲＳｒ，ＲＳｌに後方スリットＲ１が１本のみ配置されている場合、その１本の後方スリットＲ１自体が後方スリット領域ＲＳｒ，ＲＳｌである。また、後方スリット領域ＲＳｒ，ＲＳｌに後方スリットＲ１が複数分散配置されている場合、その領域ＲＳｒ，ＲＳｌの範囲は、それぞれ図６に示すように、縦方向Ｘの最も前方に位置する後方スリットＲ１の前端から最も後方に位置する後方スリットＲ１の後端までを縦方向長さとし、横方向Ｙの最も内側に位置する後方スリットＲ１の内側縁から最も外側に位置する後方スリットＲ１の外側縁までを横方向長さとする、平面視四角形の範囲である。
【００４０】
一対の後方スリット領域ＲＳｒ，ＲＳｌそれぞれに存する後方スリットＲ１の数は特に制限されないが、好ましくは２本以上、より好ましくは３本以上、そして、好ましくは９本以下、より好ましくは７本以下である。
【００４１】
一対の後方スリット領域ＲＳｒ，ＲＳｌがそれぞれ後方スリットＲ１を複数有している場合、その複数の後方スリットＲ１は互いに、平面視形状及び縦中心線ＣＬ（縦方向Ｘ）に対する傾斜角度の何れか一方又は両方が同じでもよく、異なっていてもよい。また、後方スリット領域ＲＳｒ，ＲＳｌがそれぞれ後方スリットＲ１を複数有している場合、その複数の後方スリットＲ１が縦方向Ｘに一列に並ぶパターンよりも、図６に示す如き、横方向Ｙの位置が異なる２本以上の後方スリットＲ１が存するパターンが好ましい。
【００４２】
ナプキン１では、図６に示すように、後方スリット領域ＲＳｒ，ＲＳｌそれぞれにおける複数の後方スリットＲ１は、平面視形状及び縦中心線ＣＬに対する傾斜角度が互いに同じであり、各後方スリットＲ１は縦中心線ＣＬに平行に直線で延びている。後方スリット領域ＲＳｒ，ＲＳｌそれぞれには４本の後方スリットＲ１が存しており、その４本の後方スリットＲ１は縦方向Ｘ及び横方向Ｙの両方向に分散した状態で配され、より具体的には千鳥状に配されている。この後方スリット領域ＲＳｒ，ＲＳｌそれぞれにおける後方スリットＲ１の千鳥状配置は、具体的には、複数（２本）の後方スリットＲ１が縦方向Ｘに間欠配置されたスリット列が形成され、且つ該スリット列を横方向Ｙに投影したときに、該スリット列を構成する後方スリットＲ１の投影像の間に、該スリット列と横方向Ｙにおいて隣接する他の後方スリットＲ１の投影像が配置されるものである。
【００４３】
後方スリットＲ１は、図４に示すように、吸収体４を貫通していることが好ましい。また後方スリットＲ１は、図４に示すように、吸収体４の上下に配される表面シート２及び裏面シート３には形成されていないことが好ましい。また、図示していないが、表面シート２と吸収体４との間に別のシートが介在配置されている場合、後方スリットＲ１はその別のシートにも形成されていないことが好ましい。ここでいう「別のシート」としては、例えば、当該技術分野においてサブレイヤなどと呼ばれる、不織布などの液透過性シートが挙げられる。
【００４４】
後方スリット領域ＲＳは、ナプキン１のフィット性の向上に大いに寄与するものである。ナプキン１のような夜間用の生理用ナプキンは、縦方向Ｘの長さが比較的長いため、股間部の前後方向の広い範囲にわたって追従性よく密着することが要求される。しかしながら、特に、膣口などの排泄部及びその近傍は、曲率半径が比較的大きく湾曲度が小さいのに対し、排泄部よりも後方（背側）に位置する臀部の溝及びその近傍は、曲率半径が比較的小さく湾曲度が大きいため、排泄部から臀部の溝にわたる連続した部分は表面形状の変化が激しく、そのため、従来の夜間用の生理用ナプキンは該部分に対するフィット性が十分ではなかった。これに対し、ナプキン１は、吸収体４が後方部Ｒに前述した構成の後方スリット領域ＲＳを有しているため、表面形状の変化が激しい排泄部から臀部の溝にわたる部分に対し、ヨレを生じることなく変形してフィット性よく密着し得る。
【００４５】
加えて、ナプキン１においては、図１に示すように、防漏カフ５の後方部Ｒに位置する起立阻害部５５が、後方スリット領域ＲＳの縦方向後端よりも縦方向Ｘの後方に位置しており、斯かる構成により、防漏カフ５の起立性、特に後方部Ｒにおける起立性が高められている。そしてナプキン１は、前述した後方スリットＲ１との協働作用によって、着用者の股間部において特に表面形状の変化が激しい部分である、排泄部から臀部の溝（臀裂）にわたる部分に追従性よく密着し、防漏カフ５が臀部を包むようにフィットするので、夜間用の生理用ナプキンに特有の課題である、着用者の就寝時における後方部からの液漏れを効果的に防止し得る。
【００４６】
ここでいう、「後方スリット領域ＲＳの縦方向後端」は、後方スリット領域ＲＳにおいて、縦方向Ｘの最後方に位置する後方スリットＲ１の縦方向Ｘの後端である。本実施形態のように、後方スリット領域ＲＳが複数存在する場合は、その複数の後方スリット領域ＲＳにおける全ての後方スリットＲ１のうち、縦方向Ｘの最後方に位置する後方スリットＲ１の縦方向Ｘの後端が、前記「後方スリット領域ＲＳの縦方向後端」である。例えば、本実施形態のナプキン１においては、後方スリット領域ＲＳとして、後方スリット領域ＲＳｒ，ＲＳｌが左右一対存在するところ、図６に示すように、一方の後方スリット領域ＲＳｒと他方の後方スリット領域ＲＳｌとで縦方向後端の位置が同じ場合は、両領域ＲＳｒ，ＲＳｌそれぞれにおける縦方向Ｘの最後方に位置する後方スリットＲ１の縦方向Ｘの後端が、前記「後方スリット領域ＲＳの縦方向後端」であり、該位置が異なる場合は、相対的に縦方向Ｘの後方に位置する領域ＲＳｒ又はＲＳｌにおける縦方向Ｘの最後方に位置する後方スリットＲ１の縦方向Ｘの後端が、前記「後方スリット領域ＲＳの縦方向後端」である。つまり、一方の後方スリット領域ＲＳｒと他方の後方スリット領域ＲＳｌとで縦方向後端の位置が異なる場合は、縦方向Ｘの最後方に位置する方よりも縦方向Ｘの後方に起立阻害部５５が位置していればよい。斯かる構成を具備するナプキン１によれば、防漏カフ５を構成する弾性部材７の伸長応力が低い場合でも防漏カフ５が起立しやすく、着用者の臀部を包み込むようにフィットするため、着用者の就寝時に経血等の体液が着用者の身体を伝って臀部側に移行して外部に漏れ出すという、夜間用の生理用ナプキンに特有の問題が解決される。
【００４７】
特に本実施形態においては、後方スリット領域ＲＳｒ，ＲＳｌが、図６に示すように、吸収体４を横方向Ｙに二分して縦方向Ｘに延びる縦中心線ＣＬを挟んで両側に一対配されており、一方の後方スリット領域ＲＳｒと他方の後方スリット領域ＲＳｌとが横方向Ｙに離間しているため、ナプキン１は、着用者の臀部の溝に追従し得るように変形する際にヨレを生じる可能性がより一層低減されており、フィット性がより一層高められている。
【００４８】
このような、防漏カフ５の起立阻害部５５と後方スリット領域ＲＳｒ，ＲＳｌとの位置関係の工夫による作用効果をより一層確実に奏させるようにする観点から、起立阻害部５５と後方スリット領域ＲＳ（ＲＳｒ，ＲＳｌ）の縦方向後端との離間距離Ｇ１（図１参照）は、吸収性本体１０の縦方向Ｘの全長に対して、好ましくは５．０％以上、より好ましくは６．２５％以上、そして、好ましくは１５％以下、より好ましくは１２．５％以下である。また、離間距離Ｇ１は、好ましくは１５ｍｍ以上、より好ましくは２５ｍｍ以上、そして、好ましくは６０ｍｍ以下、より好ましくは５０ｍｍ以下である。離間距離Ｇ１が前述した範囲であると、後方部Ｒから中間部Ｍにかけて、着用者の身体にフィットするのに有用なナプキン１の変形が防漏カフ５に伝わり易くなり、ナプキン１の着用時に防漏カフ５の起立性が一層高まることで、高いモレ防止効果を得ることが可能になる。
【００４９】
また、ナプキン１においては、防漏カフ５の起立状態において、図３及び図４に示すように、起立部５１を構成する内側延出部５２が、その起立時の起立基端である基端部５０よりも横方向Ｙの内方に位置する。斯かる構成により、表面シート２と起立した起立部５１（内側延出部５２）との間に、経血等の排泄液を捕捉可能なポケット様の構造Ｐが形成されるため、横方向Ｙの外方への排泄液の漏れ出し、いわゆる横漏れが効果的に防止される。したがってナプキン１によれば、前述した後方スリット領域ＲＳｒ，ＲＳｌによる作用効果と起立阻害部５５の位置による作用効果とが相俟って、特に後方部Ｒにおける液漏れを効果的に防止し得る。
【００５０】
吸収性本体１０の肌対向面には、図１に示すように、表面シート２及び吸収体４が裏面シート３側に一体的に凹陥した溝として、縦方向Ｘに延在する縦溝８が、横方向Ｙに所定間隔を置いて一対形成されているとともに、横方向Ｙに延在する横溝９が、一対の縦溝８，８それぞれの縦方向Ｘの後端に連結されている。一対の縦溝８，８は、それぞれ、前方部Ｆから中間部Ｍを通って後方部Ｒにわたって連続している。横溝９は、図１に示す如き平面視において、縦方向Ｘの外方に向かって凸の凸状をなし、その凸の頂部が縦中心線ＣＬ上に位置している。
【００５１】
縦溝８は、平面視において縦方向Ｘに延びる線状をなしていればよく、その長手方向と縦方向Ｘとのなす角度が４５度未満であればよい。横溝９は、平面視において横方向Ｙに延びる線状をなしていればよく、その長手方向と横方向Ｙとのなす角度が６０度未満であればよい。また、両溝８，９ともに、その長手方向に沿って凹陥部（表面シート２及び吸収体４が裏面シート３側に一体的に凹陥した部分）が連続する連続線状の溝でもよく、あるいは、凹陥部と非凹陥部（平坦部）とがその長手方向に交互に配された不連続線状の溝でもよい。不連続線の溝において、その長手方向において隣り合う凹陥部どうしの間隔（非凹陥部の該長手方向の長さ）は、好ましくは５ｍｍ以下である。また、縦溝８と横溝９との連結は、両溝８，９それぞれの凹陥部が連続している形態のみならず、縦溝８と横溝９との間に非凹陥部が介在する形態が包含され、後者の形態において、縦溝８と横溝９との間隔（介在する非凹陥部の両溝８，９の長手方向に沿う長さ）は、好ましくは５ｍｍ以下である。
【００５２】
本実施形態においては、前方部Ｆ及び後方部Ｒそれぞれに横溝９が形成されている。前方部Ｆの横溝９は、一対の縦溝８，８それぞれの縦方向Ｘの前端に連結され、後方部Ｒの横溝９は、一対の縦溝８，８それぞれの縦方向Ｘの後端に連結されており、これら両溝８，９の連結体は、平面視において閉じた環状をなしている。縦溝８及び横溝９は、それぞれ、縦中心線ＣＬを基準として左右対称に形成されている。縦溝８及び横溝９に囲まれた領域には、後述する中高部４３（中間部Ｍにおける、前方部Ｆ及び後方部Ｒに比して吸水性材料の坪量が高い領域）が存在している。
【００５３】
また、吸収性本体１０の肌対向面には、図１及び図７に示すように、後方部Ｒの横溝９よりも縦方向Ｘの内方に、横方向Ｙに延在する部分（横溝部）１３ｂを有する内溝１３が形成されている。内溝１３は、縦溝８及び横溝９に囲まれた領域において、中高部４３よりも縦方向Ｘの後方に位置している。内溝１３は、縦方向Ｘに延びる一対の縦溝部１３ａ，１３ａと、両縦溝部１３ａ，１３ａそれぞれの縦方向Ｘの後端に連結された横溝部１３ｂとを含んで構成され、縦中心線ＣＬを基準として左右対称に形成されている。横溝部１３ｂは、平面視において縦方向Ｘの外方に向かって凸の凸状をなし、その凸の頂部が縦中心線ＣＬ上に位置している。なお、縦溝部１３ａと横溝部１３ｂとの連結部は内溝１３の変曲点に位置しており、したがって、横溝部１３ｂは、内溝１３における変曲点よりも縦方向Ｘの外方に位置する。内溝１３についても、前述した溝８，９についての説明が適宜適用される。
【００５４】
なお、内溝１３の後端部は、後方部Ｒの起立阻害部５５よりも縦方向Ｘの前方に位置している。このため、ナプキン１が舟形に変形した際に、後方部Ｒで、着用者の動作や体型に従って変形を許容しつつ、吸収体４の過度な変形を抑制できるので、防漏カフ５（起立部５１）の起立性を一層高めることが可能となる。特に、図１に示すように、内溝１３の横溝部１３ｂが後方フラップ部固定材１１と横方向Ｙに重なるように配されることで、後方部Ｒの縦方向Ｘへのズレを抑制しながら適度な変形が可能となるので、着用中における防漏カフ５（起立部５１）の起立性を一層高めることが可能となる。
【００５５】
前述した溝８，９，１３は、いわゆる防漏溝として機能し、吸収体４の平面方向特に横方向Ｙの液の拡散を抑制するとともに、吸収体４のヨレを防止し得る。溝８，９，１３は、熱を伴うか又は伴わない圧搾加工、あるいは超音波エンボス等のエンボス加工により常法に従って形成することができる。溝８，９，１３においては、表面シート２及び吸収体４が熱融着等により一体化しており、溝８，９，１３の底部はそれらの周辺部に比して高密度である。
【００５６】
ナプキン１においては前述したとおり、後方部Ｒの起立阻害部５５の位置を、後方スリット領域ＲＳｒ，ＲＳｌの縦方向後端との関係で工夫することで、特に後方部Ｒにおける防漏カフ５の起立性を高めているところ、本実施形態においては更に、斯かる位置を横溝９との関係でも工夫することで、防漏カフ５の起立性が一層高められている。具体的には図７に示すように、本実施形態においては、後方部Ｒの起立阻害部５５が、横溝９の縦方向前端９ａと重なるか、それよりも縦方向Ｘの後方に位置している。横溝９の縦方向前端９ａは、縦溝８と横溝９との連結部すなわち変曲点に位置する。斯かる構成により、ナプキン１の後方部Ｒが、横溝９の縦方向前端９ａを起点として、非肌対向面側すなわち裏面シート３側に凸（肌対向面側すなわち表面シート２側に凹）となるように湾曲していわゆる舟形形状に変形しやすくなるため、前述した防漏カフ５のポケット様の構造Ｐ（図３及び図４参照）が一層深さを持った形状となり、これにより就寝時の液漏れがより一層効果的に防止される。斯かる作用効果をより一層確実に奏させるようにする観点から、起立阻害部５５と横溝９の縦方向前端９ａとの離間距離Ｇ２（図７参照）は、好ましくは３５ｍｍ以下、より好ましくは３０ｍｍ以下である。
【００５７】
また、本実施形態においては、図７に示すように、後方部Ｒの起立阻害部５５は、後方フラップ部固定材１１よりも縦方向Ｘの後方に位置している。斯かる構成により、ナプキン１における後方フラップ部固定材１１よりも縦方向Ｘの後方に位置する部分、特にナプキン１の縦方向Ｘの後端部が、防漏カフ５（起立部５１）の起立に伴って臀部を包み込むように変形しやすくなるため、フィット性及び液漏れ防止性がより一層向上し、就寝時の液漏れがより一層効果的に防止される。斯かる作用効果をより一層確実に奏させるようにする観点から、起立阻害部５５と後方フラップ部固定材１１との離間距離Ｇ３（図７参照）は、好ましくは１０ｍｍ以上、より好ましくは１５ｍｍ以上、そして、好ましくは４０ｍｍ以下、より好ましくは３５ｍｍ以下である。
【００５８】
一対の縦溝８，８は、それぞれ図７に示す如き平面視において、後方部Ｒに括れ部８０を有している。図７に示す形態において、一対の縦溝８，８は、それぞれ、括れ部８０を２個有している。括れ部８０は、ナプキン１が非肌対向面側に凸となるようにいわゆる舟形形状に変形する際の起点となり得る部分であり、括れ部８０の存在は、ナプキン１の斯かる変形を容易にし得る。
【００５９】
なお、縦溝８は、括れ部に代えて、あるいは括れ部とともに、分断部を有していてもよい。分断部は、縦溝８の連続性が失われた部分であり、縦溝８を構成する凹陥部が形成されていない部分すなわち非凹陥部（平坦部）からなる。分断部も、括れ部と同様に、ナプキン１が非肌対向面側に凸となるようにいわゆる舟形形状に変形する際の起点となり得る部分である。
【００６０】
また、吸収性本体１０の肌対向面における横溝９よりも縦方向Ｘの後方には、複数の凹陥部１４が一方向に間欠配置されてなり且つ平面視において縦方向Ｘの外方に向かって凸の曲線状（弧状）をなす凹陥部列１５が形成されている。凹陥部１４は、溝８，９，１３を構成する部分と同じく、表面シート２及び吸収体４が裏面シート３側に一体的に凹陥した部分である。凹陥部列１５において隣り合う凹陥部１４，１４どうしの間隔は、好ましくは５ｍｍ以上、より好ましくは７ｍｍ以上、そして、好ましくは１５ｍｍ以下、より好ましくは１３ｍｍ以下である。凹陥部列１５は、横溝９に比して曲率半径が大きい、すなわち、横溝９に比して湾曲度が小さい。凹陥部列１５の曲率半径は、凹陥部列１５を構成する全ての凹陥部１４を通る仮想曲線（図７の点線）の曲率半径である。
【００６１】
このように、縦溝８が後方部Ｒに、後方部Ｒが舟形形状に変形する際の起点となる括れ部８０を有し、且つ横溝９よりも縦方向Ｘの後方に所定の条件を満たす凹陥部列１５が形成されている場合に、後方部Ｒの起立阻害部５５が、図７に示すように、縦溝８が有する括れ部８０のうちで縦方向Ｘの最後方に位置するものを通って横方向Ｙに延びる仮想直線Ｖ１と、凹陥部列１５の縦方向Ｘの後端を通って横方向Ｙに延びる仮想直線Ｖ２との間に位置していることで、後方部Ｒの舟形形状への変形がより一層起こりやすくなり、結果としてナプキン１の縦方向Ｘの前後でのフィット性が一層向上し得る。特に、起立阻害部５５が仮想直線Ｖ２よりも縦方向Ｘの前方に位置していることで、防漏溝が２重に重なって、舟形形状に変形しにくくなった部分を、非肌対向面側に凸となるように、着用者の身体側に引っ張り上げて、舟形形状への変形を促すようになる。
【００６２】
また、横溝９よりも縦方向Ｘの後方に位置する部分であるナプキン１の後端部に凹陥部列１５が存在することで、該後端部に硬さが付与されるため、ナプキン１の着用中における該後端部の折れやめくれが効果的に防止される。一方、ナプキン１の後端部に凹陥部列１５が存在することに起因して、該後端部の柔軟性の低下によるナプキン１のフィット性の低下や着用時の違和感が懸念されるが、これについては、凹陥部列１５において隣り合う凹陥部１４，１４どうしの間隔を５ｍｍ以上に設定することで、該後端部の柔軟性等の低下が最小限に抑えてられており、斯かる懸念は払拭されている。更に、曲率半径に関して、「相対的に縦方向Ｘの前方に位置する横溝９の曲率半径＜相対的に縦方向Ｘの後方に位置する凹陥部列１５の曲率半径」なる大小関係が成立することで、縦方向Ｘの前方から後方に向かうに従って後方部Ｒの曲げやすさ（変形の容易性）が増加するようになっているため、ナプキン１の着用時における意図しない皺や折れが効果的に防止され、ナプキン１の着用者に違和感を与え難い。特に本実施形態においては、横溝９よりも縦方向Ｘの前方に位置する内溝１３の横溝部１３ｂの曲率半径も考慮すると、図７に示すように、後方部Ｒにおいては曲率半径に関して、縦方向Ｘの前方から後方に向かって、「横溝部１３ｂ＜横溝９＜凹陥部列１５」なる大小関係が成立しているため、後方部Ｒの皺や折れが一層効果的に防止され、着用時の違和感一層効果的に低減され得る。
【００６３】
更に、ナプキン１においては前述したとおり、図２に示すように、吸収性本体１０の非肌対向面に配された本体固定材１２が縦方向Ｘに間欠配置されているため、前述した起立阻害部５５と仮想直線Ｖ１，Ｖ２との位置関係による作用効果と相俟って、ナプキン１全体が舟形形状に変形しやすく、フィット性がより一層高められている。
【００６４】
防漏カフ５における縦方向Ｘの両端部の起立阻害部５５，５５に挟まれた部分の自由端の縦方向Ｘの長さ、すなわち起立部５１の内側延出部５２の縁部５２ａの縦方向Ｘの長さは、防漏カフ５の非起立部の縦方向Ｘの長さに比して短いことが好ましい。ここでいう「防漏カフ５の非起立部」とは基端部５０であり、防漏カフ５が起立する際の起立基端となる部分である。また、ここでいう「長さ」は、防漏カフ５を弾性部材７の収縮力に抗して最大に伸長させた状態における各部の長さを意味する。このような、「起立阻害部５５，５５に挟まれた部分の自由端（起立部５１の内側延出部５２の縁部５２ａ）の縦方向長さ＜防漏カフ５の非起立部（基端部５０）の縦方向長さ」なる大小関係が成立することで、非起立部側の方が自由端側よりも変形量が多くなって、前述した防漏カフ５のポケット様の構造Ｐ（図３及び図４参照）が着用者の臀部の形状に合わせて変形しやすくなるため、液漏れ防止性がより一層向上し得る。防漏カフ５の非起立部（基端部５０）の縦方向長さと、起立阻害部５５，５５に挟まれた部分の自由端（起立部５１の内側延出部５２の縁部５２ａ）の縦方向長さとの比率は、前者＞後者を前提として、前者／後者として、好ましくは１．０１以上、より好ましくは１．０３以上、そして、好ましくは１．３０以下、より好ましくは１．２５以下である。
【００６５】
吸収体４について更に説明すると、吸収体４は、吸水性材料を含んで構成されている。前記吸水性材料としては、この種の吸収性物品の吸収体において使用可能なものを特に制限なく用いることができ、例えば、親水性繊維及び吸水性ポリマーが挙げられ、これらの１種を単独で又は２種以上を組み合わせて用いることができる。親水性繊維としては、本来的に親水性の繊維でもよく、あるいは疎水性繊維を親水化処理した繊維でもよいが、前者の繊維が特に好ましい。本来的に親水性の繊維としては、天然系の繊維、セルロース系の再生繊維又は半合成繊維が好ましい例として挙げられ、好ましいものとして、パルプ、レーヨンを例示できる。パルプには、針葉樹クラフトパルプ、広葉樹クラフトパルプなどの木材パルプの他に、木綿パルプ、藁パルプなどの非木材パルプなどがあるが、特に制限されない。また、セルロース繊維の分子内及び／又は分子間を架橋させた架橋セルロース繊維、木材パルプをマーセル化処理して得られるような嵩高性のセルロース繊維を用いてもよい。吸水性ポリマーとしては、一般に粒子状のものが用いられるが、繊維状のものでもよい。粒子状の吸水性ポリマーの形状は特に限定されず、例えば、球状、塊状、俵状、不定形状であり得る。吸水性ポリマーは、典型的には、アクリル酸又はアクリル酸アルカリ金属塩の重合物又は共重合物を主体とする。
【００６６】
ナプキン１における吸収体４は、図３〜図５に示すように、着用時に着用者の排泄部に対向配置される中央吸収性シート４１と、平面視において中央吸収性シート４１と重なる部分及び中央吸収性シート４１の周縁から外方に延出する部分を有する本体吸収性シート４２とを含んで構成されており、複数枚のシートの積層構造体である。両吸収性シート４１，４２は何れも、親水性繊維及び吸水性ポリマーを含有する。
【００６７】
本発明において「吸収性シート」とは、親水性繊維、吸水性ポリマー等の吸水性材料を含むシート状の吸収構造体を意味し、吸水性材料を積繊してなる積繊体とは区別される。一般に、吸収性シートは、吸水性材料の積繊体に比して厚みが薄く低剛性であるため、吸収性シートを備えた吸収性物品は、厚みが薄い薄型であり、柔軟で着用感に優れ、またコンパクトに折り畳めてハンドリング性にも優れる。斯かる吸収性シートの特長をより有効に活用し、液拡散性、液保持性を十分に備え装着感の良好な吸収性物品を得る観点から、吸収性シートの１枚あたりの５ｃＮ／ｃｍ２の荷重下での厚みは、好ましくは０．１ｍｍ以上、より好ましくは０．３ｍｍ以上、そして、好ましくは２ｍｍ以下、より好ましくは１．５ｍｍ以下である。吸収性シートとしては例えば、特許第２９６３６４７号公報、特許第２９５５２２３号公報に記載のものを利用することができる。吸収性シートとして好ましいものを例示すると、湿潤状態の吸水性ポリマーに生じる粘着力や別に添加した接着剤や接着性繊維等のバインダーを介して、構成繊維間や構成繊維と吸水性ポリマーとの間を結合させてシート状としたものが挙げられる。
【００６８】
中央吸収性シート４１は、図１に示すように、中間部Ｍ、あるいは中間部Ｍ及び前方部Ｆの中間部Ｍ寄りの部分において、ナプキン１又は吸収性本体１０の横方向Ｙの中央部に配されている。また中央吸収性シート４１は、図３に示すように、該シート４１を折り畳んでなる多層構造をなしている。この中央吸収性シート４１の折り畳み多層構造は、１枚の平面視略矩形形状の該シート４１が、該シート４１を横方向Ｙに略三等分する位置を通って縦方向Ｘに延びる２本の折り曲げ線にて同一面側（肌対向面側）に折り曲げられて、いわゆる巻き三つ折り状態に形成されたものであり、該シート４１の３層構造を有している。
【００６９】
また、本体吸収性シート４２も、図３〜図５に示すように、該シート４２を折り畳んでなる多層構造をなしている。この本体吸収性シート４２の折り畳み多層構造は、１枚の平面視略矩形形状の該シート４２が、縦方向Ｘに延びる２本の折り曲げ線にて同一面側（非肌対向面側）に折り曲げられ、且つ該シート４１の縦方向Ｘに沿う両端縁どうしが横方向Ｙの中央部で重ね合わされて形成されたものであり、その両端縁の重ね合わせ部は該シート４２の３層構造、該重ね合わせ部以外の部分は該シート４２の２層構造を有している。本体吸収性シート４２の折り畳み多層構造は、吸収体４の外形を形成している。
【００７０】
このように、ナプキン１における吸収体４は、１枚の本体吸収性シート４２の折り畳み構造の内部に、１枚の中央吸収性シート４１の折り畳み構造が内包された構成を有しているところ、中間部Ｍの横方向Ｙの中央部は、この中央吸収性シート４１の折り畳み構造が配されていることによって、周辺部に比して厚みが大きく且つ肌対向面側に隆起した中高部４３となっている。一方、吸収体４における中高部４３以外の部位は、中央吸収性シート４１の折り畳み構造が無く、本体吸収性シート４２の折り畳み構造を含んで構成されており、中高部４３に比して厚みの小さい標準吸収部４４となっている。
【００７１】
このように、中間部Ｍには、前方部Ｆ及び後方部Ｒに比して吸水性材料の坪量が高い領域である中高部４３が存在する。中高部４３は、図６に示すように、後方スリット領域ＲＳ（ＲＳｒ，ＲＳｌ）から所定距離離間した位置に配されており、中高部４３と後方スリット領域ＲＳとの間は、スリットが形成されていない非スリット形成領域となっている。つまり、ナプキン１は、中間部Ｍから後方部Ｒに向かって、中高部４３、非スリット形成領域、後方スリット領域ＲＳを縦方向Ｘに有しているところ、これは、中間部Ｍから後方部Ｒに向かうに従って坪量が減少すること、すなわち剛性が低下することを意味する。斯かる構成により、着用者の股間部においても特に表面形状の変化が激しい部分である、排泄部から臀部の溝にわたる部分に対し、ナプキン１は、ヨレを生じることなく該部分に追従し得るように変形しやすくなるため、フィット性が向上し得る。
【００７２】
中高部４３は、図１に示すように、平面視において長方形形状をなし、その長手方向を縦方向Ｘに一致させて、中間部Ｍの横方向Ｙの中央部に配されている。但し、中高部４３の平面視形状は任意に選択可能であり、長方形形状に限定されない。中高部４３の縦方向Ｘの長さは、好ましくは６０ｍｍ以上、より好ましくは８０ｍｍ以上、そして、好ましくは１５０ｍｍ以下、より好ましくは１２０ｍｍ以下である。また、中高部４３の横方向Ｙの長さは、好ましくは２５ｍｍ以上、より好ましくは３０ｍｍ以上、そして、好ましくは５５ｍｍ以下、より好ましくは５０ｍｍ以下である。
【００７３】
吸収体４における中高部４３の厚みは、好ましくは０．７ｍｍ以上、より好ましくは１ｍｍ以上、そして、好ましくは５ｍｍ以下、より好ましくは４ｍｍ以下である。中高部４３の厚みを斯かる範囲とすることで、中高部４３が形成されている中間部Ｍにおける良好な装着感と高い吸収性能を両立することが容易となる。また、ナプキン１のように吸収性物品がウイング部を備えている場合には、装着時に中間部Ｍでの吸収体のヨレを抑制しやすくなる。また、吸収体４における標準吸収部４４の厚みは、好ましくは０．３ｍｍ以上、より好ましくは０．５ｍｍ以上、そして、好ましくは３ｍｍ以下、より好ましくは２．５ｍｍ以下である。標準吸収部４４の厚みを斯かる範囲とすることで、高い吸収性能と着用者の動きへの追従性をより一層高めることが可能となる。吸収体及び吸収性シートの厚みは下記方法により測定される。
【００７４】
＜吸収性シート及び吸収体の厚みの測定方法＞
測定対象物である吸収性シート又は吸収体を水平な場所にシワや折れ曲がりがないように静置し、５ｃＮ／ｃｍ２の荷重下での厚みを測定する。本発明における厚みの測定には、厚み計 PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ２となるようにプレートの大きさを調整する。
【００７５】
ナプキン１においては、図１、図３及び図６に示すように、吸収体４は中間部Ｍに、縦方向Ｘに延びる中央スリットＭ１が配された中央スリット領域ＭＳを有している。中央スリット領域ＭＳは中高部４３と重なるように存している。中高部４３に中央スリット領域ＭＳが存していることにより、ナプキン１の着用時に、着用者の大腿部により、吸収体４を横方向Ｙに圧縮する力が加えられても、吸収体４が、中央スリット領域ＭＳの多様な部位で細かく変形するため、吸収体４やナプキン１に、深さの深い折れ皺が生じにくい。そのため、深い折れ皺に起因する不都合、例えば、着用者が違和感を覚える、折れ皺に沿って液が流れて漏れにつながる等が効果的に防止され得る。したがってナプキン１によれば、中央スリット領域ＭＳ及び後方スリット領域ＲＳｒ，ＲＳｌの双方による作用効果により、着用時に着用者の肌に密着して隙間を生じ難く、該隙間からの液漏れが効果的に防止される。
【００７６】
中央スリットＭ１は、吸収体４に形成された切れ目であり、中央スリットＭ１の形成位置においては吸収体４の形成材料が切断され又は形成材料が他の部位よりも相互に離れて分離されている。ナプキン１においては、中央スリットＭ１は平面視直線状をなしているが、中央スリットＭ１の平面視形状はこれに限定されず波線等でもよい。また中央スリットＭ１は、縦方向Ｘに延びていればよく、図示の如く縦中心線ＣＬに対して平行でなくてもよく、平面視において縦中心線ＣＬ（縦方向Ｘ）とのなす角度が４５度未満であればよく、３０度未満であることが好ましく、特に１０度未満であることが好ましく、０度であることが最も好ましい。
【００７７】
中央スリット領域ＭＳにおいては、中央スリットＭ１が１本のみ配置されているか、又は中央スリットＭ１が複数分散配置されている。本実施形態においては後者である。中央スリット領域ＭＳに中央スリットＭ１が１本のみ配置されている場合、その１本の中央スリットＭ１自体が中央スリット領域ＭＳである。また、中央スリット領域ＭＳに中央スリットＭ１が複数分散配置されている場合、その領域ＭＳの範囲は、図６に示すように、縦方向Ｘの最も前方に位置する中央スリットＭ１の前端から最も後方に位置する中央スリットＭ１の後端までを縦方向長さとし、横方向Ｙの最も内側に位置する中央スリットＭ１の内側縁から最も外側に位置する中央スリットＭ１の外側縁までを横方向長さとする、平面視四角形の範囲である。
【００７８】
中央スリット領域ＭＳには中央スリットＭ１が１本以上あればよい。中央スリット領域ＭＳに存する中央スリットＭ１の数は特に制限されないが、好ましくは１０本以上、より好ましくは２０本以上、そして、好ましくは４０本以下、より好ましくは３０本以下である。中央スリット領域ＭＳが中央スリットＭ１を複数有している場合、その複数の中央スリットＭ１は互いに、平面視形状及び縦中心線ＣＬに対する傾斜角度の何れか一方又は両方が同じでもよく、異なっていてもよい。また、中央スリット領域ＭＳが中央スリットＭ１を複数有している場合、その複数の中央スリットＭ１が縦方向Ｘに一列に並ぶパターンよりも、図６に示す如き、横方向Ｙの位置が異なる２本以上の中央スリットＭ１が存するパターンが好ましい。
【００７９】
ナプキン１では、図６に示すように、中央スリット領域ＭＳにおける複数の中央スリットＭ１は、平面視形状及び縦中心線ＣＬに対する傾斜角度が互いに同じであり、各中央スリットＭ１は縦中心線ＣＬに平行に直線で延びている。中央スリット領域ＭＳにおける複数の中央スリットＭ１は縦方向Ｘ及び横方向Ｙの両方向に分散した状態で配され、より具体的には千鳥状に配されている。この中央スリットＭ１の千鳥状配置は、前述した後方スリットＲ１の千鳥状配置と同じである。
【００８０】
中央スリットＭ１は、図３に示すように、吸収体４を貫通していることが好ましい。また中央スリットＭ１は、図３に示すように、吸収体４の上下に配される表面シート２及び裏面シート３には形成されていないことが好ましい。また、図示していないが、表面シート２と吸収体４との間に別のシート（例えばサブレイヤ）が介在配置されている場合、中央スリットＭ１はその別のシートにも形成されていないことが好ましい。
【００８１】
図６に示すように、中央スリット領域ＭＳと後方スリット領域ＲＳ（ＲＳｒ，ＲＳｌ）とは縦方向Ｘに離間している。つまり、中央スリット領域ＭＳと後方スリット領域ＲＳとの間には、非スリット形成領域が存在する。斯かる構成により、防漏カフ５の伸縮力によって中間部Ｍ（前記排泄部対向部）と後方部Ｒとが着用者の各部位にフィットするように変形することが一層容易になる。
【００８２】
そして、中央スリット領域ＭＳと後方スリット領域ＲＳ（ＲＳｒ，ＲＳｌ）との間には、吸収性本体１０を折り曲げる際に利用される折曲線である中央折り畳み線ＣＦＬが横方向Ｙに延在している。斯かる構成により、中央スリット領域ＭＳと後方スリット領域ＲＳとの間に位置する中央折り畳み線ＣＦＬの形成位置及びその近傍の、スリット（切れ目）形成に起因する剛性の低下が抑制され、その結果、ナプキン１の着用時において、中央折り畳み線ＣＦＬが縦方向Ｘの前後両方から押し上げられるようになり、フィット性がより一層向上し得る。また、中央スリット領域ＭＳ及び後方スリット領域ＲＳそれぞれの変形の連続性が、中央折り畳み線ＣＦＬによって分断されるため、各領域単位で着用者の身体にフィットし得る変形が生じやすくなり、結果として、ナプキン１のフィット性がより一層向上し得る。
【００８３】
中央スリット領域ＭＳの後端（すなわち、中央スリット領域ＭＳにおいて縦方向Ｘの最後方に位置する中央スリットＭ１の後端）と後方スリット領域ＲＳの縦方向前端との離間距離ｄ７（図６参照）は２０ｍｍ以上が好ましく、２５ｍｍ以上がより好ましい。ここでいう、「後方スリット領域ＲＳの縦方向前端」は、前述した「後方スリット領域ＲＳの縦方向後端」と同様の考え方で定義されるもので、図６に示す形態においては、後方スリット領域ＲＳｒ，ＲＳｌそれぞれにおいて縦方向Ｘの最前方に位置する後方スリットＲ１の前端である。また離間距離ｄ７が長すぎると、中央折り畳み線ＣＦＬを肌に密着させる効果が弱まり、ナプキン１と肌との隙間が生じ易くなるおそれがあることから、離間距離Ｓ７の上限は、好ましくは４０ｍｍ、より好ましくは３５ｍｍである。
【００８４】
前述した作用効果をより確実に奏させるようにする観点から、吸収体４の各部の寸法は、下記のように設定することが好ましい。
一対の後方スリット領域ＲＳｒ，ＲＳｌ間の横方向Ｙにおける間隔が最も狭い部分の間隔ｄ１（図６参照）は、好ましくは１０ｍｍ以上、より好ましくは２０ｍｍ以上、そして、好ましくは４０ｍｍ以下、より好ましくは３０ｍｍ以下である。
【００８５】
中央折り畳み線ＣＦＬと後方スリット領域ＲＳ（ＲＳｒ，ＲＳｌ）との間隔ｄ２、すなわち、中央折り畳み線ＣＦＬと後方スリット領域ＲＳにおいて縦方向Ｘの最前方に位置する後方スリットＲ１との間隔ｄ２（図６参照）は、好ましくは１０ｍｍ以上、より好ましくは１５ｍｍ以上、そして、好ましくは４０ｍｍ以下、より好ましくは３５ｍｍ以下である。なお、中央折り畳み線ＣＦＬは、実際の製品においては通常、縦方向Ｘに所定の長さすなわち幅を有し、図示の如き細線よりも幅広の平面視細帯状をなしているところ、そのような細帯状の中央折り畳み線ＣＦＬについての前記間隔ｄ２は、該中央折り畳み線ＣＦＬの延びる方向（図示の形態では横方向Ｙ）に沿う一対の側端部（前方側端部、後方側端部）のうちの縦方向Ｘの後方側に位置する、後方側端部を、中央折り畳み線ＣＦＬ側の測定位置として測定されたものを意味し、すなわち、この中央折り畳み線ＣＦＬの後方側端部と後方スリット領域ＲＳとの距離を意味する。また、中央折り畳み線が図６に示すような横方向Ｙに平行な直線状ではない場合には、その非直線状の中央折り畳み線ＣＦＬと後方スリット領域ＲＳとの間隔ｄ２は、縦中心線ＣＬ上に位置する該中央折り畳み線ＣＦＬの前記後方側端部を該中央折り畳み線ＣＦＬ側の測定位置として測定されたものを意味する。
【００８６】
後方スリットＲ１の縦方向Ｘの長さＬ１（図６参照）は、好ましくは１０ｍｍ以上、より好ましくは１５ｍｍ以上、そして、好ましくは３５ｍｍ以下、より好ましくは２５ｍｍ以下である。
後方スリットＲ１の横方向Ｙの長さすなわち幅ｂ１（図６参照）は、好ましくは０．１ｍｍ以上、より好ましくは０．２ｍｍ以上、そして、好ましくは１ｍｍ以下、より好ましくは０．８ｍｍ以下である。
後方スリット領域ＲＳｒ，ＲＳｌにおいて、複数の後方スリットＲ１が縦方向Ｘに一列に配されてなる、縦スリット列内における後方スリットＲ１，Ｒ１の縦方向Ｘの間隔（１つの後方スリット領域において縦方向において互いに最も近接する後方スリットどうしの縦方向の間隔）ｄ３（図６参照）は、好ましくは１０ｍｍ以上、より好ましくは１５ｍｍ以上、そして、好ましくは３５ｍｍ以下、より好ましくは２５ｍｍ以下である。
後方スリット領域ＲＳｒ，ＲＳｌにおいて、複数の後方スリットＲ１が横方向Ｙに一列に配されてなる、横スリット列内における後方スリットＲ１，Ｒ１の横方向Ｙの間隔（１つの後方スリット領域において横方向において互いに最も近接する後方スリットどうしの横方向の間隔）ｄ４（図６参照）は、好ましくは５ｍｍ以上、より好ましくは１０ｍｍ以上、そして、好ましくは２５ｍｍ以下、より好ましくは２０ｍｍ以下である。
【００８７】
中央スリットＭ１の縦方向Ｘの長さＬ２（図６参照）は、好ましくは１０ｍｍ以上、より好ましくは１５ｍｍ以上、そして、好ましくは３５ｍｍ以下、より好ましくは２５ｍｍ以下である。
中央スリットＭ１の横方向Ｙの長さすなわち幅ｂ２（図６参照）は、好ましくは０．１ｍｍ以上、より好ましくは０．２ｍｍ以上、そして、好ましくは１ｍｍ以下、より好ましくは０．８ｍｍ以下である。
中央スリット領域ＭＳにおいて、複数の中央スリットＭ１が縦方向Ｘに一列に配されてなる、縦スリット列内における中央スリットＭ１，Ｍ１の縦方向Ｘの間隔（中央スリット領域において縦方向において互いに最も近接する中央スリットどうしの縦方向の間隔）ｄ５（図６参照）は、好ましくは１０ｍｍ以上、より好ましくは１５ｍｍ以上、そして、好ましくは３５ｍｍ以下、より好ましくは２５ｍｍ以下である。
中央スリット領域ＭＳにおいて、複数の中央スリットＭ１が横方向Ｙに一列に配されてなる、横スリット列内における中央スリットＭ１，Ｍ１の横方向Ｙの間隔（中央スリット領域において横方向において互いに最も近接する中央スリットどうしの横方向の間隔）ｄ６（図６参照）は、好ましくは５ｍｍ以上、より好ましくは１０ｍｍ以上、そして、好ましくは２５ｍｍ以下、より好ましくは２０ｍｍ以下である。
【００８８】
また、一対の後方スリット領域ＲＳｒ，ＲＳｌ間の横方向Ｙにおける間隔が最も狭い部分の間隔ｄ１（図６参照）は、中央スリット領域ＭＳにおいて横方向Ｙに隣り合う２本の中央スリットＭ１，Ｍ１どうしの横方向Ｙにおける間隔ｄ６（図６参照）に比して広く、且つ中高部４３を横方向Ｙに５等分した場合の横方向中央の１領域の横方向長さに比して広いことが好ましい。斯かる構成により、ナプキン１の着用時において、この間隔ｄ１を持つ部分（後方部Ｒの横方向Ｙの中央部）が着用者の臀裂により一層安定的に沿うようになり、フィット性、延いては漏れ防止性がより一層向上し得る。間隔ｄ１と間隔ｄ６との比率は、前者／後者として、好ましくは１．１以上、より好ましくは１．３以上、そして、好ましくは３以下、より好ましくは２．５以下である。また、間隔ｄ１と中高部４３の横方向中央の１領域の横方向長さとの比率は、前者／後者として、好ましくは１．５以上、より好ましくは２以上、そして、好ましくは６以下、より好ましくは５以下である。
【００８９】
図８には、本発明の吸収性物品の他の実施形態の要部が示されている。後述する他の実施形態については、前述したナプキン１と異なる構成部分を主として説明し、同様の構成部分は同一の符号を付して説明を省略する。特に説明しない構成部分は、ナプキン１についての説明が適宜適用される。
【００９０】
図８に示すナプキン１Ａにおいては、後方部Ｒの起立阻害部５５が、平面視において弾性部材７に対して斜めに交差する複数の筋状固定部５７を含んで構成されている。図８に示す形態では、１個の起立阻害部５５は３個の筋状固定部５７を含んで構成され、その３個の筋状固定部５７は縦方向Ｘに間欠配置されている。各筋状固定部５７は平面視四角形形状をなし、その長手方向が、縦方向Ｘに延びる弾性部材７に対して直交せずに、斜めに交差している。また、各筋状固定部５７は、内側縁部（相対的に縦中心線ＣＬに近い縁部）が、外側縁部（相対的に縦中心線ＣＬに近い縁部）よりも、縦方向Ｘの前方に位置するように配されている。後方部Ｒの起立阻害部５５がこのような複数の筋状固定部５７を含んで構成されていることにより、ナプキン１の装着感を損なうことなく、起立状態の防漏カフ５の柔軟性及び身体に対する追従性を向上させることが可能となる。
【００９１】
以上、本発明について説明したが、本発明は前記実施形態に制限されず、本発明の趣旨を逸脱しない範囲で適宜変更可能である。
例えば、前記実施形態においては、吸収体が吸収性シートのみから構成されていたが、吸水性材料を積繊してなる積繊体のみから構成されていてもよく、両者を含んで構成されていてもよい。また、吸収体における吸収性シートの多層構造は、前記実施形態のように、１枚の吸収性シートが折り重ねられて形成された構成でもよく、あるいは複数枚の吸収性シートを折り畳まずに積層した構成でもよく、あるいは両構成を複合した構成でもよい。前述した複数の実施形態において互いに異なる構成を、適宜変更し、置換し、あるいは組み合わせた形態とすることもできる。
【００９２】
本発明は、経血、尿、便、汗などの体液の吸収に用いられる物品全般に適用することができるが、特に、生理用ナプキンなどの女性用吸収性物品、とりわけ、夜間に着用される夜間用の女性用吸収性物品に好適である。女性用吸収性物品としては、前記実施形態の如き生理用ナプキンの他に、例えば、パンティライナ、失禁パッド等が挙げられる。本発明の実施形態に関し、更に以下の付記を開示する。
【００９３】
＜１＞  着用者の前後方向に対応する縦方向及びこれに直交する横方向を有するとともに、着用時に着用者の排泄部と対向する排泄部対向部を含む中間部と、該中間部から縦方向前方に延在する前方部と、該中間部から縦方向後方に延在する後方部とを有し、且つ吸収性本体と、該吸収性本体の縦方向に沿う両側部に配された一対の防漏カフとを具備し、該吸収性本体が、吸水性材料を含む吸収体と、該吸収体の肌対向面側に配された表面シートと、該吸収体の非肌対向面側に配された裏面シートとを具備する吸収性物品であって、一対の前記防漏カフは、それぞれ、防漏カフ用シートを含んで構成され、該防漏カフ用シートが他の部材に固定された基端部と、該防漏カフ用シートが着用者側に起立する起立部とを有しており、前記起立部は、前記基端部から横方向内側へ延び、縦方向に伸縮性を有する内側延出部を含んで構成されており、前記前方部及び前記後方部それぞれに、前記内側延出部が前記表面シートに固定された起立阻害部が形成されており、着用時において、前記防漏カフにおける縦方向両端部の前記起立阻害部に挟まれた前記起立部が、前記内側延出部の縁部を自由端として、該自由端を着用者の肌側に向けて起立しその起立状態において、該自由端が前記基端部よりも横方向内方に位置し、前記吸収体は、前記後方部に、縦方向に延びる後方スリットが配された後方スリット領域を有し、前記後方部の前記起立阻害部は、前記後方スリット領域の縦方向後端よりも縦方向後方に位置する吸収性物品。
＜２＞  前記後方スリット領域は、前記吸収体を横方向に二分して縦方向に延びる仮想縦中心線を挟んで両側に一対配されている前記＜１＞に記載の吸収性物品。
＜３＞  前記起立阻害部と前記後方スリット領域の縦方向後端との離間距離は、前記吸収性本体の縦方向の全長に対して、５．０％以上、好ましくは６．２５％以上、そして、１５％以下、好ましくは１２．５％以下である前記＜１＞又は＜２＞に記載の吸収性物品。
＜４＞  前記起立阻害部と前記後方スリット領域の縦方向後端との離間距離は、１５ｍｍ以上、好ましくは２５ｍｍ以上、そして、６０ｍｍ以下、好ましくは５０ｍｍ以下である前記＜１＞〜＜３＞の何れか１項に記載の吸収性物品。
【００９４】
＜５＞  前記吸収性本体の肌対向面に、前記表面シート及び前記吸収体が前記裏面シート側に一体的に凹陥してなる溝として、縦方向に延在する縦溝が、横方向に所定間隔を置いて一対形成されているとともに、横方向に延在する横溝が、該一対の縦溝それぞれの縦方向後端に連結されており、前記後方部の前記起立阻害部は、前記横溝の縦方向前端に重なるか、それよりも縦方向後方に位置している前記＜１＞〜＜４＞の何れか１項に記載の吸収性物品。
＜６＞  前記起立阻害部と前記横溝の縦方向前端との縦方向の離間距離は、３５ｍｍ以下、好ましくは３０ｍｍ以下である前記＜５＞に記載の吸収性物品。
＜７＞  前記吸収性本体は、前記後方部における縦方向に沿う両側部に、前記吸収体の縦方向に沿う両側縁から横方向外方に延出する部材を含んで構成される後方フラップ部を有し、該後方フラップ部の非肌対向面に、該後方フラップ部を着用者の着衣に固定する後方フラップ部固定材が配されており、
前記後方部の前記起立阻害部は、前記後方フラップ部固定材よりも縦方向後方に位置している前記＜１＞〜＜６＞の何れか１項に記載の吸収性物品。
＜８＞  前記起立阻害部と前記後方フラップ部固定材との縦方向の離間距離は、１０ｍｍ以上、好ましくは１５ｍｍ以上、そして、４０ｍｍ以下、好ましくは３５ｍｍ以下である前記＜７＞に記載の吸収性物品。
＜９＞  前記吸収性本体の肌対向面に、前記表面シート及び前記吸収体が前記裏面シート側に一体的に凹陥してなる溝として、縦方向に延在する縦溝が、横方向に所定間隔を置いて一対形成されているとともに、横方向に延在する横溝が、該一対の縦溝それぞれの縦方向後端に連結されており、
前記一対の縦溝は、それぞれ平面視において、前記後方部に括れ部又は分断部を有し、前記吸収性本体の肌対向面における前記横溝よりも縦方向後方に、複数の凹陥部が一方向に間欠配置されてなり且つ平面視において縦方向外方に向かって凸の曲線状をなす凹陥部列が形成され、該凹陥部列において隣り合う凹陥部どうしの間隔が５ｍｍ以上であり、該凹陥部列は、該横溝に比して曲率半径が大きく、
前記後方部の前記起立阻害部は、前記縦溝が有する前記括れ部又は分断部のうちで縦方向最後方に位置するものを通って横方向に延びる仮想直線と、前記凹陥部列の縦方向後端を通って横方向に延びる仮想直線との間に位置している前記＜１＞〜＜８＞の何れか１項に記載の吸収性物品。
＜１０＞  前記凹陥部列において隣り合う前記凹陥部どうしの間隔は、５ｍｍ以上、好ましくは７ｍｍ以上、そして、１５ｍｍ以下、好ましくは１３ｍｍ以下である前記＜９＞に記載の吸収性物品。
＜１１＞  前記吸収性本体の非肌対向面に、該吸収性本体を着用者の着衣に固定する本体固定材が、縦方向に間欠配置されている前記＜９＞又は＜１０＞に記載の吸収性物品。
【００９５】
＜１２＞  前記内側延出部の縁部領域に弾性部材が配されており、前記後方部の前記起立阻害部は、平面視において該弾性部材に対して斜めに交差する複数の筋状固定部を含んで構成されている前記＜１＞〜＜１１＞の何れか１項に記載の吸収性物品。
＜１３＞  前記防漏カフにおける縦方向両端部の前記起立阻害部に挟まれた前記起立部の前記自由端の縦方向長さが、該防漏カフの非起立部の縦方向長さに比して短い前記＜１＞〜＜１２＞の何れか１項に記載の吸収性物品。
＜１４＞  前記中間部に、前記後方部に比して前記吸水性材料の坪量が高い領域が存在する前記＜１＞〜＜１３＞の何れか１項に記載の吸収性物品。
＜１５＞  前記吸収体は、前記中間部に、縦方向に延びる中央スリットが配された中央スリット領域を有し、該中央スリット領域と前記後方スリット領域とが縦方向に離間している前記＜１＞〜＜１４＞の何れか１項に記載の吸収性物品。
＜１６＞  前記中央スリット領域と前記後方スリット領域との間に、前記吸収性本体を折り曲げる際に利用される折曲線が横方向に延在している前記＜１５＞に記載の吸収性物品。
【００９６】
＜１７＞  前記吸収性本体の肌対向面に、前記表面シート及び前記吸収体が前記裏面シート側に一体的に凹陥してなる溝として、縦方向に延在する縦溝が、横方向に所定間隔を置いて一対形成されているとともに、横方向に延在する横溝が、該一対の縦溝それぞれの縦方向後端に連結されており、
更に、前記吸収性本体の肌対向面には、前記後方部の前記横溝よりも縦方向内方に内溝が形成され、該内溝は、縦方向に延在する縦溝部と、横方向に延在する横溝部とを有する前記＜１＞〜＜１６＞の何れか１項に記載の吸収性物品。
＜１８＞  前記内溝は、前記縦溝及び前記横溝に囲まれた領域において、前記吸水性材料の坪量が高い領域よりも縦方向後方に位置している前記＜１７＞に記載の吸収性物品。
＜１９＞  前記縦溝部は、横方向に所定間隔を置いて一対形成され、前記横溝部は、該一対の縦溝部それぞれの縦方向後端に連結されており、前記内溝は、前記吸収性物品を横方向に二分して縦方向に延びる縦中心線を基準として左右対称に形成されており、
前記横溝部は、平面視において縦方向外方に向かって凸の凸状をなし、その凸の頂部が前記縦中心線上に位置している前記＜１７＞又は＜１８＞に記載の吸収性物品。
＜２０＞  前記吸収性本体の肌対向面における前記横溝よりも縦方向後方に、複数の凹陥部が一方向に間欠配置されてなり且つ平面視において縦方向外方に向かって凸の曲線状をなす凹陥部列が形成され、該凹陥部列において隣り合う凹陥部どうしの間隔が５ｍｍ以上であり、
前記後方部においては曲率半径に関して、縦方向前方から後方に向かって、前記内溝の横溝部＜前記横溝＜前記凹陥部列なる大小関係が成立している前記＜１７＞〜＜１９＞の何れか１項に記載の吸収性物品。
＜２１＞  前記内溝の後端部は、前記後方部の前記起立阻害部よりも縦方向前方に位置している前記＜１７＞〜＜２０＞の何れか１項に記載の吸収性物品。
＜２２＞  前記吸収性本体は、前記後方部における縦方向に沿う両側部に、前記吸収体の縦方向に沿う両側縁から横方向外方に延出する部材を含んで構成される後方フラップ部を有し、該後方フラップ部の非肌対向面に、該後方フラップ部を着用者の着衣に固定する後方フラップ部固定材が配されており、
前記横溝部は、前記後方フラップ部固定材と横方向に重なるように配されている前記＜１７＞〜＜２１＞の何れか１項に記載の吸収性物品。
【００９７】
＜２３＞前記吸収体は、着用時に着用者の排泄部に対向配置される中央吸収性シートと、平面視において該中央吸収性シートと重なる部分及び該中央吸収性シートの周縁から外方に延出する部分を有する本体吸収性シートとを含んで構成されている前記＜１＞〜＜２２＞の何れか１項に記載の吸収性物品。
＜２４＞  前記中央吸収性シート及び前記本体吸収性シートは、それぞれ、親水性繊維及び吸水性ポリマーを含有する前記＜２３＞に記載の吸収性物品。
＜２５＞  縦方向の全長が２７ｃｍ以上の生理用ナプキンである前記＜１＞〜＜２４＞の何れか１項に記載の吸収性物品。
【符号の説明】
【００９８】
１，１Ａ  生理用ナプキン（吸収性物品）
２  表面シート
３  裏面シート
４  吸収体
４１  中央吸収性シート
４２  本体吸収性シート
４３  中高部
４４  標準吸収部
５  防漏カフ
５０  基端部
５１  起立部
５２  内側延出部
５２ａ  内側延出部の縁部（自由端）
５５  起立阻害部
５６  端部固定部
５７  筋状固定部
６  サイドシート（防漏カフ用シート）
７  弾性部材
８  縦溝
９  横溝
１０  吸収性本体
１０Ｈ  後方フラップ部
１１  後方フラップ部固定材
１２  本体固定材
１３  内溝
１３ａ  縦溝部
１３ｂ  横溝部
１４  凹陥部
Ｆ  前方部（第１領域）
Ｍ  中間部（第１領域）
Ｒ  後方部（第２領域）
ＦＦＬ  前方折り畳み線
ＣＦＬ  中央折り畳み線
ＲＦＬ  後方折り畳み線
Ｍ１  中央スリット
ＭＳ  中央スリット領域
Ｒ１  後方スリット
ＲＳ，ＲＳｒ，ＲＳｌ  後方スリット領域
ＣＬ  縦中心線
Ｘ  縦方向
Ｙ  横方向
【図１】
2020044047.tif 000003
【図２】
2020044047.tif 000004
【図３】
2020044047.tif 000005
【図４】
2020044047.tif 000006
【図５】
2020044047.tif 000007
【図６】
2020044047.tif 000008
【図７】
2020044047.tif 000009
【図８】
2020044047.tif 000010